(57)【要約】【課題】  壁部の貫通孔におけるスリーブの有無に関係なく、貫通孔と、その貫通孔に対する配管の挿通部分とを確実に覆い隠すように壁面に固定することができ、しかも、施工に手間がかからず、見栄えに優れた配管カバー部材を提供する。【解決手段】  端部カバー部材１２の覆い体１７には、壁部の貫通孔と対応する端縁に、貫通孔に装着されたスリーブとの干渉を避けるための段差状切欠き１７ｃを設ける。取付部材１５を、段差状切欠き１７ｃに配置されるＵ字形のアダプタ１６と、このアダプタ１６の両端を支持する取付部材１５とから構成する。取付部材１５の両側には支持壁２１をそれぞれ設け、覆い体１７の両側内面には、支持壁２１に当接する係合部２６をそれぞれ設ける。両支持壁２１と両係合部２６との当接により、アダプタ１６を用いない状態で覆い体１７が壁部の内壁面から離れる向きに傾くことを規制するように構成する。【選択図】      図３
2006207734.tif 000002
【特許請求の範囲】
【請求項１】
壁部の壁面に固定される取付部と、同取付部に止着される覆い体とを備え、
同覆い体は、前記壁部に設けられた貫通孔と、同貫通孔に挿通された配管とを覆い隠すように構成されている配管カバー部材において、
前記貫通孔と対応する側の前記覆い体の端縁には、同貫通孔に挿通されたスリーブのフランジ部との干渉を避けるための段差状切欠きを形成し、
前記取付部を、前記貫通孔を囲むＵ字状に形成されるとともに前記段差状切欠きに配置されるアダプタと、このアダプタと係合する取付部材とから構成し、
前記取付部材の両側には、係止部をそれぞれ設け、前記覆い体の両側部の内面には、前記係止部と係合する係合部をそれぞれ設け、前記両係止部と両係合部との係合により前記覆い体の両側部の拡開を防止するように構成し、
前記取付部材の両側には、支持壁をそれぞれ設け、前記覆い体の両側内面には、前記支持壁に当接する当接部をそれぞれ設け、前記壁部の壁面から離れる側へ同覆い体が同取付部材から外れることを防止するように前記両支持壁と両当接部とを当接させるとともに、
前記取付部材に止着された前記覆い体が同取付部材を外部から覆い隠すように構成したことを特徴とする配管カバー部材。
【請求項２】
前記係合部を、前記覆い体に一体形成された突条により形成するとともに、同突条と同覆い体の側部内面との間に間隙を形成し、その間隙内に前記係止部が位置することにより同覆い体の両側部の拡開を防止するようにことを特徴とする請求項１に記載の配管カバー部材。
【請求項３】
前記支持壁の外面には、係止凹部をそれぞれ設け、前記覆い体の両側内面には、前記係止凹部と係合する係合凸部をそれぞれ設け、前記両係止凹部と前記両係合凸部との係合により前記取付部に前記覆い体を止着するように構成したことを特徴とする請求項１又は請求項２に記載の配管カバー部材。
【発明の詳細な説明】
【技術分野】
【０００１】
この発明は、例えば家庭用空調機の室外機と室内機との間に延長配置される冷媒用配管、ドレーン用配管等の配管を覆うための配管カバーの一部を構成する配管カバー部材に関するものである。
【背景技術】
【０００２】
一般に、住宅家屋等において家庭用空調機を設置する場合には、家屋の壁部の外側に室外機を配置するとともに壁部の内側に室内機を取り付け、可撓性を有する冷媒用配管により室外機と室内機との間を連結している。冷媒用配管は、家屋の壁部に形成した貫通孔に挿通されるとともに壁部の外壁面及び内壁面に沿って延長配置される。また、室内機から延びるドレーン用配管は、両冷媒用配管に沿うように延長配置されている。
【０００３】
この場合、特許文献１に開示されるように、冷媒用配管やドレーン用配管等の配管を保護するため、あるいは家屋外観や景観を向上させるために、壁部の外壁面に配管カバーが取り付けられている。そして、この配管カバーにより、前記各配管の外壁面に沿った延長部分や、壁部の貫通孔及びその貫通孔に対する各配管の挿通部分が覆われるようになっている。また、壁部の貫通孔から離れた位置に室内機を設置した場合には、壁部の内壁面においても配管が延長配置される。このような場合には、壁部の内壁面にも配管カバーが取り付けられる。
【０００４】
配管カバーは、配管の延長部分を覆うための直管カバー部材、壁部の貫通孔において配管の挿通部を覆うための端末カバー部材、隣合う両壁部間で配管の屈曲部を覆うためのコーナ部カバー部材等から構成される。また、各配管カバー部材は、壁部の外壁面に固定される取付部と、この取付部に対して止着される覆い体とにより構成されている。
【特許文献１】特開２０００−３３７５５４号公報
【発明の開示】
【発明が解決しようとする課題】
【０００５】
ところで、前記配管を挿通させる壁部の貫通孔には、貫通孔の未使用時に貫通孔を閉塞する蓋体を装着するためのスリーブが装着されている場合と、装着されていない場合とがある。スリーブは、貫通孔内に配置される筒部と、筒部の両端に設けられるとともに壁面上に配置されるフランジ部とからなる。すなわち、新築家屋においては、壁部の適当箇所に予め貫通孔が形成されて、空調機の設置に即応できるようになっており、貫通孔閉鎖用の蓋体がスリーブに着脱可能に装着されている。そして、空調機の設置に際しては、前記蓋体をスリーブから外して、各配管をスリーブ内に通す。一方、既設の家屋に空調機を設置する際には、その設置時に壁部の適当箇所に貫通孔を形成し、この貫通孔に直接配管を通すことが多い。
【０００６】
貫通孔にスリーブが装着されている場合には、壁部の壁面に配管カバーを取り付けるとき、その配管カバーの端部の開口周縁がスリーブのフランジ部と干渉する。このため、配管カバー部材と壁面との間に隙間が生じ、見栄えが悪くなるという問題があった。
【０００７】
このような問題に対処するため、施工時に、例えば配管カバー部材の端部の開口周縁に切欠きを加工形成して、配管カバー部材の端部とスリーブのフランジ部との干渉を避けるようにすることも考えられる。しかしながら、この場合には、配管カバー部材を設置するための手間が増え、また、加工形成された切欠きの状態によっては見栄えを悪くすることになる。
【０００８】
また、別の問題として、配管カバーの見栄えを良くするために配管カバーを十分に太くしないようにすると、配管カバー内の配管が配管カバーの内側に干渉し、配管カバーの両側部を拡開させてしまうことがある。これを防ぐために、配管カバーを十分に太くすると、その見栄えが悪くなる問題もあった。
【０００９】
この発明は、このような従来の技術に存在する問題点に着目してなされたものである。その目的は、壁部の貫通孔におけるスリーブの有無に関係なく、貫通孔とその貫通孔に対する配管の挿通部分とを確実に覆い隠すように壁面に固定することができ、しかも、見栄えに優れた配管カバー部材を提供することにある。
【課題を解決するための手段】
【００１０】
上記の目的を達成するために、請求項１に記載の発明は、壁部の壁面に固定される取付部と、同取付部に止着される覆い体とを備え、同覆い体は、前記壁部に設けられた貫通孔と、同貫通孔に挿通された配管とを覆い隠すように構成されている配管カバー部材において、前記貫通孔と対応する側の前記覆い体の端縁には、同貫通孔に挿通されたスリーブのフランジ部との干渉を避けるための段差状切欠きを形成し、前記取付部を、前記貫通孔を囲むＵ字状に形成されるとともに前記段差状切欠きに配置されるアダプタと、このアダプタと係合する取付部材とから構成し、前記取付部材の両側には、係止部をそれぞれ設け、前記覆い体の両側部の内面には、前記係止部と係合する係合部をそれぞれ設け、前記両係止部と両係合部との係合により前記覆い体の両側部の拡開を防止するように構成し、前記取付部材の両側には、支持壁をそれぞれ設け、前記覆い体の両側内面には、前記支持壁に当接する当接部をそれぞれ設け、前記壁部の壁面から離れる側へ同覆い体が同取付部材から外れることを防止するように前記両支持壁と両当接部とを当接させるとともに、前記取付部材に止着された前記覆い体が同取付部材を外部から覆い隠すように構成したことを特徴とする。
【００１１】
請求項２に記載の発明は、請求項１に記載の発明において、前記係合部を、前記覆い体に一体形成された突条により形成するとともに、同突条と同覆い体の側部内面との間に間隙を形成し、その間隙内に前記係止部が位置することにより同覆い体の両側部の拡開を防止するようにことを特徴とする。
【００１２】
請求項３に記載の発明は、請求項１又は請求項２に記載の発明において、前記支持壁の外面には、係止凹部をそれぞれ設け、前記覆い体の両側内面には、前記係止凹部と係合する係合凸部をそれぞれ設け、前記両係止凹部と前記両係合凸部との係合により前記取付部に前記覆い体を止着するように構成したことを特徴とする。
【００１３】
（作用）
請求項１，２に記載の発明においては、壁部の貫通孔にスリーブが装着されている場合、アダプタを用いず取付部材のみを壁面に固定し、この取付部材に覆い体を取着させて貫通孔及び配管を覆うようにする。この場合、覆い体の段差状切欠きにスリーブのフランジ部が対応配置されて、覆い体の開口側端部とフランジ部との干渉が回避されるとともに、段差状切欠きによる隙間がフランジ部により閉鎖される。一方、壁部の貫通孔にスリーブが装着されていない場合には、アダプタを取付部材とともに壁面に固定し、取付部材及びアダプタに覆い体を止着させて貫通孔及び配管を覆うようにする。この場合、覆い体の段差状切欠きにアダプタが対応配置されて、覆い体の開口側端部と壁面との間がアダプタにより埋められる。従って、壁部の貫通孔におけるスリーブの有無に関係なく、貫通孔と、この貫通孔に対する配管の挿通部分とを外部から確実に覆い隠すことができる。また、覆い体に覆われた配管から覆い体の両側部に対して力が加わっても、取付部材の両側部と覆い体の両側部との係合により覆い体の両側部の拡開変形が防止される。従って、配管の太さに対して覆い体が十分に太くなくても、拡開変形により見栄えが損なわれることがない。また、アダプタを用いない場合にも、取付部材に設けられた支持壁と覆い体に設けられた当接部との当接により、壁部の壁面から離れる側への覆い体が取付部材から外れることが防止される。このため、覆い体が取付部材のみに止着されている場合においても、覆い体により覆われた配管から覆い体に加わる力等により、覆い体が取付部材から外れることがない。さらに、覆い体を壁部の壁面に固定するための取付部材が覆い体により外部から覆い隠され、外部から見える部材間の境界部が減るので見栄えが向上する。
【００１４】
請求項３に記載の発明によれば、請求項１又は請求項２に記載の発明の作用に加えて、取付部材に覆い体を止着させるために取付部材に設けた支持壁を、覆い体の係合部に当接させることにより、覆い体の傾動を規制するようにした。このため、覆い体の係合部に当接させるための構造を、支持壁と別に設ける必要がないので、取付部材の構造が簡素化される。
【発明の効果】
【００１５】
以上のように、この発明によれば、壁部の貫通孔におけるスリーブの有無に関係なく、貫通孔と、その貫通孔に対する配管の挿通部分とを確実に覆い隠すように壁面に固定することができ、しかも、見栄えに優れた配管カバー部材を提供することができる。
【発明を実施するための最良の形態】
【００１６】
次に、本発明を具体化した一実施形態を図１〜図１０に従って説明する。
図２に示すように、住宅家屋等の壁部１には、図示しない家庭用空調機の室外機と室内機とを連絡するための貫通孔２が形成されている。貫通孔２には、室外機と室内機とを連絡する一対の冷媒用配管、ドレーン用配管等の配管３が挿通されている。配管３の外端は、室外機が貫通孔２から離れている場合、壁部１の外壁面１ａに沿って延長されて室外機に接続される。また、室内機が貫通孔２から離れている場合、配管３の内端は、壁部１の内壁面１ｂに沿って延長されて室内機に接続される。壁部１の外壁面１ａに延長配置された配管３は、外壁面１ａに取り付けられた図示しない配管カバーによって覆われている。図１及び図２に示すように、配管３の内壁面１ｂに沿った延長部分３ａ、壁部１の貫通孔２、及びその貫通孔２に対する配管３の挿通部分３ｂは、壁部１の内壁面１ｂに取り付けられたこの実施形態の配管カバー１０により覆われる。なお、図２においては、便宜上、配管３は１本として描かれている。
【００１７】
次に、配管カバー１０の構成を詳述する。
図１及び図２に示すように、前記配管カバー１０は、配管３の内壁面１ｂに沿った延長部分３ａを覆うための延長カバー部材１１と、壁部１の貫通孔２、及び同貫通孔２に対する配管３の挿通部分３ｂを覆うための端部カバー部材（配管カバー部材）１２とを備えている。延長カバー部材１１及び端部カバー部材１２は、共に合成樹脂製である。
【００１８】
図３に示すように、延長カバー部材１１は、壁部１の内壁面１ｂに固定される取付部材１３と、その取付部材１３に対して着脱可能に止着される覆い部材１４とからなる。取付部材１３は、断面ほぼ扁平Ｕ字形の長尺状をなすように形成されている。取付部材１３の両側壁部１８外面上には係止溝１８ａが長手方向へ延びるようにそれぞれ形成されるとともに、底部下面中央には溝１８ｂが長手方向へ延びるように形成されている。そして、前記壁部１の内壁面１ｂに配管３を延長配置するのに先立って、この取付部材１３を所要長さに切断するとともに、図２に示すように、底部中央において長手方向の所定間隔毎に設けられた挿通孔１８ｃから壁部１にネジ１９を螺合することにより、取付部材１３が壁部１の内壁面１ｂに取り付けられるようになっている。
【００１９】
前記覆い部材１４は、図３に示すように、断面ほぼ逆Ｕ字形の長尺状をなすように形成されている。覆い部材１４の両側内面には、長手方向へ延びる係合突条１４ａがそれぞれ形成されている。そして、壁部１の内壁面１ｂに取付部材１３を取り付けた後、その取付部材１３に沿って配管３を延長配置した状態で、この覆い部材１４を所要長さ（通常、取付部材１３と同じ長さ）に切断する。次に、その覆い部材１４の係合突条１４ａを取付部材１３の係止溝１８ａに係合させることにより、覆い部材１４が取付部材１３上に対し着脱可能に止着される。これにより、配管３の延長部分３ａが覆われるようになっている。このとき、覆い部材１４が取付部材１３を外部から覆い隠すようになっている。
【００２０】
図３に示すように、前記端部カバー部材１２は、壁部１の内壁面１ｂに固定される取付部材１５及びアダプタ１６と、その取付部材１５及びアダプタ１６に対し着脱可能に止着される覆い体１７とからなる。この実施形態では、取付部材１５及びアダプタ１６が取付部を構成する。
【００２１】
取付部材１５は、断面ほぼ扁平Ｕ字形をなすように形成され、その両側に設けられた一対の支持壁２１の外面には係止凹部２１ａがそれぞれ形成されるとともに、その底部両端には一対の挿通孔１５ａが形成されている。また、取付部材１５の底部には平面円弧状の隆起部２２が形成され、その隆起部２２の両端には一対の薄肉部２２ａが形成されている。この薄肉部２２ａの片面には、図４の要部拡大図に示すように、係合凹部２２ｂが形成されている。また、取付部材１５の両側には、一対の係止片（係止部）２３が立設されている。さらに、取付部材１５の底部中央には突出片１５ｂが形成されている。そして、壁部１の貫通孔２に配管３を挿通するのに先立って、図５に示すように、各取付部材１５の挿通孔１５ａから壁部１にネジ２４をそれぞれ螺入させることにより、取付部材１５が取付部材１３に隣接して壁部１の内壁面１ｂに取り付けられるようになっている。このとき、図２に示すように、取付部材１５の突出片１５ｂが延長カバー部材１１の取付部材１３の溝１８ｂに挿入され、取付部材１５に取付部材１３が位置決めされるようになっている。
【００２２】
図３に示すように、前記アダプタ１６は、合成樹脂により貫通孔２を囲むほぼＵ字状に形成されている。アダプタ１６の上面中央部には凹部１６ａが形成され、この凹部１６ａ内の位置にはネジ止め用の挿通孔１６ｂが形成されている。凹部１６ａには、着脱可能な蓋体１６ｃが装着されている。また、アダプタ１６の中央部内側には係合爪１６ｄが形成されるとともに、両端に設けられた一対の突出片１６ｅ上には係合片１６ｆが形成されている。さらに、係合片１６ｆの片面（図３における下面）には、図４の要部拡大図に示すように、係合凸部１６ｈが形成されている。また、アダプタ１６には、その内周縁に沿って延びる周壁部１６ｇが形成されている。
【００２３】
そして、図２に示すように、取付部材１５が取付部材１３に隣接して壁部１の内壁面１ｂに取り付けられた後、このアダプタ１６が取付部材１５に隣接して壁部１の内壁面１ｂに取り付けられるようになっている。このとき、図４及び図６に示すように、アダプタ１６の両係合片１６ｆが取付部材１５の両薄肉部２２ａ（図６に図示）に係合するとともに係合片１６ｆの係合凸部１６ｈが薄肉部２２ａの係合凹部２２ｂに係止され、アダプタ１６が取付部材１５に連結されるようになっている。また、図２に示すように、アダプタ１６の挿通孔１６ｂから壁部１にネジ２５が螺合され、アダプタ１６が壁部１に取付固定されるようになっている。さらに、アダプタ１６の凹部１６ａに蓋体１６ｃが装着され、ネジ２５が隠されるようになっている。アダプタ１６は、図２に二点鎖線で示すようなスリーブ４が壁部１の貫通孔２に装着されていないときに、覆い体１７の開口側端部と壁部１の内壁面１ｂとの間を埋めるために用いられる。一方、アダプタ１６は、図１０に示すように、貫通孔２にスリーブ４が装着されているときには用いられない。
【００２４】
図３に示すように、前記覆い体１７は、取付部材１５に対する取付状態で内壁面１ｂ側に開口する。覆い体１７の両側部１７ｄの内面には、２つで一組をなす係合凸部１７ａがそれぞれ形成されるとともに、開口端部の中央内面には係合凹部１７ｂが形成されている。また、覆い体１７の両側部１７ｄの内面には、係合部（当接部）２６がそれぞれ形成されている。各係合部２６は、図３及び図８に示すように、覆い体１７の側部１７ｄの内面に一体形成した断面Ｌ字形の突条により形成されている。図８及び図９に示すように、突条の内面と側部１７ｄの内側面との間には、覆い体１７の先端側に向かって開口する間隙２６ｂが形成されている。また、覆い体１７の開口端部（壁部１側の開口部）には段差状切欠き１７ｃが形成されている。
【００２５】
そして、壁部１の内壁面１ｂに取付部材１５及びアダプタ１６を取り付けた後、図５及び図６に示すように、この覆い体１７の各係合凸部１７ａを取付部材１５の両係止凹部２１ａにそれぞれ係合させる。さらに、この覆い体１７の係合凹部１７ｂをアダプタ１６の係合爪１６ｄに係合させることにより、覆い体１７が取付部材１５及びアダプタ１６上に止着されるようになっている。このとき、図２に示すように、覆い体１７の基端部が覆い部材１４の先端部の外面に外側から重合配置される。また、覆い体１７の基端部における両側部１７ｄが取付部材１５全体を外部から覆い隠すようになっている。
【００２６】
また、覆い体１７の段差状切欠き１７ｃは、アダプタ１６の周壁部１６ｇの外側に配置される。このため、覆い体１７とアダプタ１６との間の隙間が周壁部１６ｇにより塞がれるようになっている。また、図７、図８及び図９に示すように、覆い体１７の両係合部２６が、取付部材１５の両係止片２３にそれぞれ係合するようになっている。すなわち、両係止片２３は、断面Ｌ字形の突条からなる係合部２６の内面と、覆い体１７の側部１７ｄ内側面との間の間隙２６ｂ内に配置される。さらに、図７に示すように、覆い体１７の両係合部２６の端面２６ａ（開口していない側の端面）が取付部材１５の両支持壁２１の端面２１ｂに当接するようになっている。この状態で、図１及び図２に示すように、壁部１の貫通孔２及びその貫通孔２に対する配管３の挿通部分３ｂが外部から覆い隠されるようになっている。
【００２７】
また、図１０に示すように、壁部１の貫通孔２に前記スリーブ４が装着されており、アダプタ１６が用いられないときには、取付部材１５のみによって覆い体１７が壁部１の内壁面１ｂに取付固定される。このとき、覆い体１７の段差状切欠き１７ｃにスリーブ４のフランジ部４ａが対応配置されるようになっている。
【００２８】
次に、前記のように構成された端部カバー部材１２の作用について説明する。
まず、図２に示すように、壁部１の貫通孔２にスリーブ４が装着されていない場合の端部カバー部材１２の施工方法について説明する。なお、これは、壁部１の内壁面１ｂ上に配管３が予め設置されている状態で配管カバー１０を設置する場合である。
【００２９】
まず、空調機の室内機と室外機との間を配管３により連結し、この配管３を壁部１の貫通孔２に挿通させた状態で外壁面１ａ及び内壁面１ｂ上に延長配置する。次に、内壁面１ｂ上に配置した配管３の延長部分３ａを、延長カバー部材１１で覆う。このとき、まず、配管３と内壁面１ｂとの間に取付部材１３を固定し、この取付部材１３上に配管３の延長部分３ａを配置した状態で取付部材１３に覆い部材１４を止着させる。
【００３０】
次に、図２における取付部材１３の上端と貫通孔２との間において、配管３と内壁面１ｂとの間に取付部材１５を差し込み、この取付部材１５を内壁面１ｂ上に固定する。次に、アダプタ１６を配管３に跨らせた状態で取付部材１５に連結させ、このアダプタ１６をネジ２５により内壁面１ｂ上に固定する。
【００３１】
次に、端部カバー部材１２の覆い体１７を取付部材１５及びアダプタ１６に止着させると、覆い体１７の段差状切欠き１７ｃにアダプタ１６が対応配置され、覆い体１７の開口側端部と壁部１の内壁面１ｂとの間がアダプタ１６により埋められる。そして、覆い体１７及びアダプタ１６により、配管３の挿通部分３ｂが貫通孔２とともに外部から覆い隠される。
【００３２】
次に、図１０に示すように、貫通孔２にスリーブ４が装着されている場合の端部カバー部材１２の施工方法について説明する。
まず、延長カバー部材１１を設置した後、壁部１の内壁面１ｂと配管３との間に取付部材１５を差し込み、この取付部材１５を内壁面１ｂに固定する。次に、覆い体１７を取付部材１５に止着させると、覆い体１７の段差状切欠き１７ｃにスリーブ４のフランジ部４ａが対応配置され、覆い体１７の開口側端部とフランジ部４ａとの干渉が回避されるとともに、段差状切欠き１７ｃによる隙間がフランジ部４ａにより閉鎖される。そして、覆い体１７により、配管３の挿通部分３ｂが貫通孔２とともに外部から覆い隠される。
【００３３】
従って、この実施形態によれば、壁部１の貫通孔２におけるスリーブ４の有無に関係なく、貫通孔２と、この貫通孔２に対する配管３の挿通部分３ｂとを外部から確実に覆い隠すことができる。従って、スリーブ４の有無に関係なく優れた見栄えとすることができ、室内での使用に好適となる。加えて、覆い体１７を止着するための取付部材１５が覆い体１７により外部から覆い隠されるので、覆い体１７と取付部材１５との境界部が見えなくなり、より優れた見栄えを得ることができる。しかも、貫通孔２におけるスリーブ４の有無に応じてアダプタ１６を使い分けるだけで両方に対応できるので、施工に手間がかからない。
【００３４】
また、この実施形態によれば、配管３による覆い体１７の拡開変形を防止し、端部カバー部材１２の見栄えが悪くならないようにすることができる。すなわち、端部カバー部材１２が配管３の断面積に対して十分に太くない場合には、図９に示すように、覆い体１７の両側部１７ｄに対して各配管３から矢印Ｐ，Ｑで示す向きの力が加わることがある。ここで、取付部材１５に設けられた両係止片２３が、覆い体１７に設けた両係合部２６の内側と覆い体１７の側部１７ｄの内側面との間の間隙２６ｂ内に配置されていることにより、図９に二点鎖線で示すような覆い体１７の両側部１７ｄの拡開変形が防止される。従って、配管３の太さに対して覆い体１７が十分に太くなくても、覆い体１７の拡開変形を防止することができるので、拡開変形により見栄えが損なわれることがない。
【００３５】
また、図２及び図１０に示すように、取付部材１５の両側に設けた支持壁２１の端面２１ｂに、覆い体１７の両内側面に設けた係合部２６の端面２６ａが当接する。これにより、覆い体１７の係合凸部１７ａと取付部材１５の係止凹部２１ａとの係合部を中心として、覆い体１７が壁部１の内壁面１ｂから離れる側に傾くように取付部材１５から外れることが防止される。従って、図１０に示すように、アダプタ１６を用いず、覆い体１７の係合凹部１７ｂにアダプタ１６の係合爪１６ｄを係合させることができない場合にも、例えば配管３の挿通部分３ｂから覆い体１７の内側に加えられた力により覆い体１７が取付部材１５から外れることがない。
【００３６】
また、この実施形態においては、取付部材１５の支持壁２１に覆い体１７の係合部２６に当接させることにより覆い体１７の傾きを防止するようにした。このため、覆い体１７の係合部２６に当接させるための構造を、覆い体１７を取付部材１５に止着させるための支持壁２１と別に設ける必要がないので、取付部材１５の構造が簡素化される。
【００３７】
なお、前記実施形態では、配管３を壁部１の内壁面１ｂに沿わせる場合について説明したが、外壁面１ａに沿わせる場合に、この実施形態の端部カバー部材１２を用いてもよい。
【図面の簡単な説明】
【００３８】
【図１】一実施形態の端部カバー部材を用いた配管カバーの要部を示す斜視図。
【図２】図１の配管カバーの要部を示す縦断面図。
【図３】配管カバーの要部の分解斜視図。
【図４】取付部及びアダプタを示す斜視図。
【図５】端部カバー部材を示す横断面図。
【図６】図５と別の位置における端部カバー部材の横断面図。
【図７】端部カバー部材の要部を示す側面図。
【図８】端部カバー部材の要部を示す縦断面図。
【図９】端部カバー部材の要部を示す横断面図。
【図１０】配管カバーの要部を示す縦断面図。
【符号の説明】
【００３９】
１…壁部、１ｂ…壁面としての内壁面、２…貫通孔、３…配管、４…スリーブ、４ａ…フランジ部、１０…配管カバー、１２…配管カバー部材としての端部カバー部材、１５…取付部を構成する取付部材、１６…同じくアダプタ、１７…覆い体、１７ａ…係合凸部、１７ｃ…段差状切欠き、１７ｄ…側部、２１…支持壁、２１ａ…係止凹部、２３…係止部としての係止片、２６…当接部としての係合部、２６ｂ…間隙。
【図１】
2006207734.tif 000003
【図２】
2006207734.tif 000004
【図３】
2006207734.tif 000005
【図４】
2006207734.tif 000006
【図５】
2006207734.tif 000007
【図６】
2006207734.tif 000008
【図７】
2006207734.tif 000009
【図８】
2006207734.tif 000010
【図９】
2006207734.tif 000011
【図１０】
2006207734.tif 000012